(57)【特許請求の範囲】
【請求項１】
回路カード組立体において、
複数の圧電ブロックが埋め込まれた回路カードと、
回路カードに複数の接続部で固着された少なくとも１つの集積回路と、
回路カードまたは少なくとも１つの集積回路の温度を感知する温度センサーと、
複数の圧電ブロックに印加される電圧を、回路カードの実効熱膨張係数が少なくとも１つの集積回路の熱膨張係数と非常によくマッチするように、温度に応じて変化させる電圧制御装置とより成る回路カード組立体。
【請求項２】
回路カードは複数の層より成り、複数の層のうちの少なくとも１つの層には複数の圧電ブロックが埋め込まれており、温度センサーは複数の層のうちの少なくとも１つの層に結合されている請求項１の回路カード組立体。
【請求項３】
回路カードは上面、底面、及び上面及び底面から等距離の中心部を有し、複数の圧電ブロックは複数の層のうち中心部より実質的に等距離にある２つの層に埋め込まれている請求項２の回路カード組立体。
【請求項４】
複数の圧電ブロックは、複数の層のうちの１つの層に規則的なパターンで埋め込まれている請求項２または３の回路カード組立体。
【請求項５】
複数の圧電ブロックは、複数の層のうちの１つの層に規則的でないパターンで埋め込まれている請求項２または３の回路カード組立体。
【請求項６】
複数の層は、複数のエポキシ層と、複数の金属層とを含み、複数の圧電ブロックは複数のエポキシ層のうち少なくとも１つの層に埋め込まれている請求項２の回路カード組立体。
【請求項７】
複数の金属層のうち少なくとも１つの金属層の上に金属トレースをさらに備え、金属トレースは電圧の印加が可能なように複数の圧電ブロックに結合されている請求項６の回路カード組立体。
【請求項８】
少なくとも１つの集積回路は温度に応じて変形し、
複数の圧電ブロックが電圧に応答して制御された態様で変形するよう構成されているため、回路カードが集積回路の変形に実質的にマッチするように変形する請求項１の回路カード組立体。
【請求項９】
少なくとも１つの集積回路が基板に固着され、基板は複数の層のうちの１つの層にはんだ付けされ、温度センサーは集積回路または基板に熱的に結合され、また、電圧制御装置に電気的に結合されている請求項２の回路カード組立体。
【請求項１０】
複数の層は、
上面及び下面を有するコア材料と、
上面上に積層され、圧電ブロックが埋め込まれた第1のエポキシ層と、
下面上に積層され、圧電ブロックが埋め込まれた第２のエポキシ層とより成る請求項９の回路カード組立体。
【請求項１１】
少なくとも１つの集積回路は、
回路カード上の第１の領域に固着された第１の集積回路と、
回路カード上の第２の領域に固着された第２の集積回路とより成り、
温度センサーは回路カードの第１の領域に熱的に結合され、また、電圧制御装置は圧電ブロックの第１の領域に電気的に結合されており、
さらに、回路カード組立体は、
回路カードの第２の領域に熱的に結合された第２の温度センサーと、
第２の温度センサーと圧電ブロックの第２の領域との間に電気的に結合された第２の温度制御装置とを有する請求項９の回路カード組立体。
【請求項１２】
回路カードの第１の領域にはんだ付けされた第１の基板と、
回路カードの第２の領域にはんだ付けされた第２の基板とをさらに備え、
第１の集積回路と温度センサーとは第１の基板に固着され、
第２の集積回路と第２の温度センサーとは第２の基板に固着されている請求項１１の回路カード組立体。
【発明の詳細な説明】
【０００１】
【発明の技術分野】
本発明は、一般的に、プリント回路カードに関し、さらに詳細には、膨張特性が制御されるプリント回路カード組立体に関する。
【０００２】
【発明の背景】
技術の急速な進歩と消費者の要求の増大により、電子装置の製造者及び供給者には、回路カードの密度の増大及びますます大型の回路デバイスの組込みが急務となっている。典型的な現代の回路カードには、マイクロプロセッサーやそれをサポートするチップセットのような大型で複雑な集積回路が高密度で組み込まれている。
【０００３】
マイクロプロセッサーのような回路デバイスのサイズが増加するにつれて、かかるデバイスとカードとの間の熱膨張係数のミスマッチによるはんだ接続の故障可能性が増大する。例えば、大型のマイクロプロセッサーが表面実装された回路カードには、マイクロプロセッサーの幅と長さ方向にわたってはんだ接続部が存在する。マイクロプロセッサーの熱膨張係数がそれが実装される回路カードの熱膨張係数と異なる場合、マイクロプロセッサーパッケージと回路カードとが温度変化に応じて異なる態様で膨張し収縮する。その結果、はんだ接続部に接続不良の故障が生じる可能性がある。
【０００４】
本発明によると、複数の圧電ブロックが埋め込まれた回路カードと、回路カードに複数の接続部で固着された少なくとも１つの集積回路と、回路カードまたは少なくとも１つの集積回路の温度を感知する温度センサーと、複数の圧電ブロックに印加される電圧を、回路カードの実効熱膨張係数が少なくとも１つの集積回路の熱膨張係数と非常によくマッチするように、温度に応じて変化させる電圧制御装置とより成る回路カード組立体が提供される。
【０００５】
【実施例の説明】
以下の詳細な説明において、本願の一部であり、本発明の特定の実施例を例示する添付図面を参照する。図面において、同一の参照番号は幾つかの図を通して実質的に同じコンポーネントを指すものである。これらの実施例は、当業者が本発明を実施できるように十分に詳しく記載されており、他の実施例も可能であって、本発明の範囲から逸脱することなく構造的、論理的及び電気的な変形又は設計変更を行うことができることを理解されたい。さらに、本発明の種々の実施例はそれぞれ異なるが、相互に排他的ではないことを理解されたい。例えば、１つの実施例に記載された特定の特徴、構造または特性は他の実施例にも含めることができる。従って、以下の詳細の説明は限定的な意味でとらえるべきではなく、本発明の範囲は、頭書の特許請求の範囲と均等物の全範囲とによってのみ制限されるものである。
【０００６】
本発明の方法及び装置は、回路カード及び回路カード組立体の機械的特性を変更する機構を提供する。一部の実施例には、圧電ブロックが、温度変化に応じて膨張及び収縮を制御するために回路カードに埋め込まれている。圧電ブロックには、膨張を制御するために電圧を印加できる。一部の実施例では、電圧の制御は、温度センサーとサーモスタットとにより行われる。回路カードの熱膨張を制御することにより、回路カードの実効熱膨張係数を、その回路カードにはんだ付けされたデバイスの熱膨張係数に非常によくマッチするように調整することが可能である。その結果、はんだ接続部の信頼性が高くなる。
【０００７】
図１は、回路カード組立体の断面図である。回路カード組立体１００は、回路カード１０２と基板１０４とを有する。図示のように、集積回路１０６が固着された基板１０４は、はんだ接続部１０８で回路カード１０２に固着されている。基板１０４は、はんだ接続部１０８により回路カード１０２に固着可能な任意タイプのデバイスでよい。例えば、基板１０４は、ドーターカード、ランドグリッドアレイパッケージ、大型のフリップチップ実装半導体デバイスなどでよい。
【０００８】
基板１０４は、熱膨張係数を有する。この熱膨張係数は、温度変化に対する基板１０４の熱膨張作用を記述するものである。回路カード１０２もまた、熱膨張作用を記述する熱膨張係数を有する。基板１０４の熱膨張係数と回路カード１０２の熱膨張係数とが実質的に同じである場合、基板１０４と回路カード１０２とは、温度変化に対してほぼ同量膨張し収縮する。しかしながら、熱膨張係数が異なる場合、基板１０４と回路カード１０２とは、温度変化に対して実質的に同量膨張及び収縮しない。基板１０４と回路カード１０２とが実質的に同量膨張し収縮しないと、はんだ接続部１０８に応力が発生する。基板１０４のサイズが増加するにつれて、または熱膨張係数の差が増加するにつれて、はんだ接続部１０８にかかる応力が増加し、はんだ接続部に故障が発生することがある。
【０００９】
回路カード１０２には、圧電ブロック１２０が埋め込まれている。圧電特性は、ある種類の結晶材料が持つ特性である。分極圧電材料に電界が印加されると、結晶構造の形状が変化して、その材料の特定の平面に、その分極により支配される寸法変化が生じる。逆に、これらの材料のうちの１つに機械的な圧力を加えると、結晶構造がその圧力に比例する電圧を発生する。本発明の方法及び装置は、圧電材料を回路カード１０２に埋め込むことにより、電気エネルギーから機械エネルギーへの変換を可能にする。回路カード１０２に埋め込まれた圧電ブロック上の２つの電極間に電位を印加すると、回路カード１０２の実効熱膨張係数が変化する。図２は、ある特定の回路カード１０２の一部の断面２００を詳示する。
【００１０】
図２は、回路カードの断面図である。断面２００は、ビア２０４を有するコア材料２０２と、コア材料２０２の両側に積層されたエポキシ層２２０とを有する回路カード１０２（図１）の一部を示す。エポキシ層２２０内には、圧電ブロック１２０が埋め込まれている。圧電ブロック１２０は、回路カードの製造時に回路カード１０２内に埋め込まれる。圧電ブロック１２０は、圧電特性を有する任意タイプの材料でよい。かかる材料の一例は、Morgan Mitroc, Inc.により市販されているPZT-5H Bimorphである。PZT-5Hは、高い誘電率と結合度、また高い圧電定数を有する。圧電ブロック１０２は、制御された態様で変形する変形可能なブロックの例であり、回路カードを制御された態様で変形させる。任意タイプの変形可能なブロックは、本発明の範囲から逸脱することなく使用可能である。
【００１１】
断面２００は、エポキシ層２２２がエポキシ層２２０の両側に積層された様子を示す。２つのエポキシ層の間には、金属トレース２０８、２１０が位置し、圧電ブロック１２０のうちの１つのブロックに結合されている。金属トレース２０８、２１０は、圧電ブロック１２０上の電極に電圧を供給する。圧電ブロックに電圧を供給する金属トレースは、金属トレース２０８、２１０のように層間に介在させるか、または金属トレース２２４のように最も外側の層の上に配置することができる。さらに、圧電ブロックは任意の数のエポキシ層内に配置することができる。例えば、圧電ブロック１２０をエポキシ層２２０だけでなくエポキシ層２２２内に、またはエポキシ層２２２内だけに配置することができる。
【００１２】
一部の実施例において、金属トレース２０８、２１０に加える電圧は、サーモスタット２１４により制御される。サーモスタット２１４は、温度センサー２１２及び電圧源２１８に結合された状態で示す。温度センサー２１２は、熱電対のような任意タイプの温度センサーでよい。温度センサー２１２は、回路カードの温度を検知して、サーモスタット２１４へ信号を送る。サーモスタット２１４は、回路カード１０２のノード２１６に電圧を供給する。この電圧がトレース２０８、２１０に結合され、これらのトレースがその電圧を圧電ブロックに供給するため、ブロックに制御された態様の引張り及び圧縮変形が生じる。
【００１３】
サーモスタット２１４と温度センサー２１２とは、圧電材料に印加される電圧の振幅を自動的に制御することにより、「スマート」回路カード組立体を構築する。温度が上昇し始め、回路カードが膨張（正又は負）を開始して所望の限界点を超えると、予め較正されたサーモスタットがオンになって、制御された電圧を圧電ブロック１２０に印加し、回路カード１０２の変形を制御する。サーモスタット２１４は、圧電ブロック１２０に供給される電圧を制御する電圧制御装置の一例である。任意タイプの電圧制御装置を、本発明の範囲から逸脱することなしに用いることができる。
【００１４】
説明を簡潔にするために、図２は、金属トレース２０８、２１０に結合された１つの圧電ブロック１２０を示す。一部の実施例において、各圧電ブロック１２０は、金属トレース２０８、２１０と同様な金属トレースに結合されているため、各圧電ブロック１２０には同じ電圧が印加される。他の実施例では、一部の圧電ブロック１２０が任意所与の金属トレースに結合されている。例えば、多量の熱を放散する大型デバイスを備えた回路カード上に、その大型デバイス専用の別個の温度センサー２１２とサーモスタット２１４とを設けて、大型デバイスに近接する圧電ブロックを専用の温度センサーとサーモスタットとにより制御することができる。任意の数の局部的な領域を回路カードに画定し、任意の数の専用温度センサー及びサーモスタットを本発明の範囲から逸脱することなしに設けてもよい。
【００１５】
図２において、温度センサー２１２は回路カードに結合された状態で示す。一部の実施例において、温度センサー２１２は、基板１０４または集積回路１０６（図１を参照）のような回路カード以外の物体に結合される。
【００１６】
任意の数のエポキシ層及び金属層を設け、任意の数のエポキシ層が圧電ブロック１２０を含むようにすることができる。図示の断面は、コア２０２の両側のエポキシ層２２０の内部に圧電ブロック１２０が埋め込まれ、このエポキシ層２２０の外側上にエポキシ層２２２がある様子を示す。一部の実施例では、コア２０２の両側の多数のエポキシ層に圧電ブロックが埋め込まれている。例えば、一部の実施例の圧電ブロック１２０は、コアの中心部から等距離離れた対を成す層に埋め込まれている。他の実施例では、圧電ブロック１２０が回路カードの一方の表面に近い単一の層だけに埋め込まれている。これらの実施例は、回路カードの一方の側の単一領域が熱膨張係数の変化による利益を得る場合に有用である。
【００１７】
回路カード１０２（図１）は、回路カード１０２の各層を積層する前にエポキシ層に圧電ブロックを埋め込んで作製する。例えば、図２に示す構造の回路カードの作製は、エポキシへの金属層の適用前にエポキシ層２２０へ圧電ブロック１２０を埋め込むことにより行うことができる。別の実施例において、圧電ブロック１２０は、金属層上でエッチングを行った後にエポキシ層に埋め込まれる。これらの実施例では、圧電ブロック１２０と金属トレース２０８、２１０とは同じ層を共用可能である。
【００１８】
図３は、圧電ブロックが規則的なパターンで配置された回路カードの層を示す上面図である。上面図３００は、ｘ方向とｙ方向とを有する回路カード３０２を示す。圧電ブロック３１０は、正方形の形で規則的なパターンに配置されているため、ブロック間のｘ方向の距離がｙ方向の距離と実質的に同じである。圧電ブロック３１０に電圧を印加すると、ｘ及びｙの両方向において実質的に同じ大きさの膨張が発生する。一部の実施例において、膨張の大きさは、圧電ブロック３１０間の距離により制御される。他の実施例において、膨張の大きさは圧電ブロックのサイズにより制御される。
【００１９】
圧電ブロック３１０の規則的なパターンを、回路カード３０２の何れかの表面の全体にわたって、または一部の領域だけに形成することができる。例えば、熱膨張係数のミスマッチが大きい回路カード３０２の局部的領域は、図３に示すようなパターンの方が大きい利点を得られる。
【００２０】
図４は、圧電ブロックを規則的でないパターンで配置した回路カードの層の上面図である。この上面図４００は、ｘ及びｙの両方向における膨張が実質的に等しくなるようなランダムなまたは擬似的ランダムなパターンで配置した圧電ブロック４１０を示す。
【００２１】
上述の説明は、例示的であって限定的なものでないこと理解されたい。多数の他の実施例は、上述の説明を読めば当業者にとって明らかになるであろう。従って、本発明の範囲は、頭書の特許請求の範囲を、請求の範囲が享受する均等物の全範囲と共に検討して決定しなければならない。
【図面の簡単な説明】
【図１】  図１は、回路カード組立体の断面図である。
【図２】  図２は、回路カードの断面図である。
【図３】  図３は、圧電ブロックが規則的なパターンで配置された回路カードの層を示す上面図である。
【図４】  図４は、圧電ブロックが規則的でないパターンで配置された回路カードの層を示す上面図である。
【図１】
0004310064.tif 000002
【図２】
0004310064.tif 000003
【図３】
0004310064.tif 000004
【図４】
0004310064.tif 000005